(57)【要約】【課題】インクの拭き残しを防止することで信頼性の高いインク噴射が可能な、流体噴射装置のクリーニング方法、及び流体噴射装置を提供する。【解決手段】複数のノズルから流体を噴射する噴射ヘッド２を備える流体噴射装置１のクリーニング方法である。複数のノズルが形成されたノズル形成領域を含む噴射面上をワイプ部材１２ａが摺動するワイピング工程を有し、ワイピング工程は、ワイプ部材１２ａが噴射面に接触してからノズル形成領域を摺動するワイピング処理を開始するまでに、ワイプ部材１２ａの状態を安定化させる安定化ステップを含んでいる。【選択図】図１
2010052381.tif 000002
【特許請求の範囲】
【請求項１】
複数のノズルから流体を噴射する噴射ヘッドを備える流体噴射装置のクリーニング方法において、
前記複数のノズルが形成されたノズル形成領域を含む噴射面上をワイプ部材が摺動するワイピング工程を有し、
該ワイピング工程は、前記ワイプ部材が前記噴射面に接触してから前記ノズル形成領域を摺動するワイピング処理を開始するまでに、当該ワイプ部材の状態を安定化させる安定化ステップを含むことを特徴とする流体噴射装置のクリーニング方法。
【請求項２】
前記安定化ステップは、前記噴射面に対する前記ワイプ部材の摺動動作が停止されるステップを含むことを特徴とする請求項１に記載の流体噴射装置のクリーニング方法。
【請求項３】
前記安定化ステップに先立ち、前記ワイプ部材と前記噴射ヘッドとを前記ワイピング処理時の１／１０以下の速度で接近させる接近動作を行い、前記ワイプ部材及び前記噴射ヘッドが非接触の状態で前記接近動作を終了させることを特徴とする請求項１又は２に記載の流体噴射装置のクリーニング方法。
【請求項４】
前記ワイプ部材として、長さ、材質、及び厚さの少なくともいずれかが前記噴射面に応じて設定されたものを用いることを特徴とする請求項１〜３のいずれか一項に記載の流体噴射装置のクリーニング方法。
【請求項５】
前記ワイプ部材として、少なくとも表面が前記流体に対して親水性とされるものを用いることを特徴とする請求項１〜４のいずれか一項に記載の流体噴射装置のクリーニング方法。
【請求項６】
前記噴射面に対する前記ワイプ部材の摺動動作を停止させることなく、前記安定化ステップに続けて前記ワイピング処理を行うことを特徴とする請求項１〜５のいずれか一項に記載の流体噴射装置のクリーニング方法。
【請求項７】
複数のノズルから流体を噴射する噴射ヘッドと、
該噴射ヘッドにおける前記複数のノズルが形成されたノズル形成領域を含む噴射面を摺動するワイプ部材を含むワイピング装置と、
前記ワイプ部材が前記噴射面に接触してから前記ノズル形成領域を摺動するワイピング処理を開始するまでに、当該ワイプ部材の状態を安定化させるように前記噴射ヘッド及び前記ワイピング装置の少なくともいずれかの動作を制御する制御装置と、
を備えることを特徴とする流体噴射装置。
【請求項８】
前記ワイプ部材は、前記噴射面に応じて、長さ、材質、及び厚さの少なくともいずれかが設定されていることを特徴とする請求項７に記載の流体噴射装置。
【請求項９】
前記ワイプ部材は、少なくとも表面が前記流体に対して親水性とされることを特徴とする請求項７又は８に記載の流体噴射装置。
【発明の詳細な説明】
【技術分野】
【０００１】
本発明は、流体噴射装置のクリーニング方法、及び流体噴射装置に関するものである。
【背景技術】
【０００２】
流体噴射装置として、記録ヘッド（噴射ヘッド）の噴射口より記録媒体にインク（液体）を噴射するインクジェット式記プリンタ（以下、プリンタと称す）が知られている。このようなプリンタではインクの噴射特性を維持すべく、クリーニング処理が行われる。下記の特許文献１に記載されるプリンタでは、クリーニング処理として、吸引動作によってノズルからインクを強制的に排出させた後、ノズル形成面に付着したインクをワイピング部材によって払拭するワイピング動作を行っている。
【特許文献１】特開２００５−１９９５９７号公報
【発明の開示】
【発明が解決しようとする課題】
【０００３】
しかしながら、上記ワイピング動作では、拭き始め側のノズル列の拭き取り性が悪くなる虞があった。このようにノズル形成面上にインクの拭き残しが生じると、インクの飛行曲がりやドット抜けが誘発され、インクの噴射特性を低下させる可能性がある。
【０００４】
本発明はこのような事情に鑑みてなされたものであって、インクの拭き残しを防止することで信頼性の高いインク噴射が可能な、流体噴射装置のクリーニング方法、及び流体噴射装置を提供することを目的としている。
【課題を解決するための手段】
【０００５】
本発明者は、鋭意研究を行った結果、拭き始め側のノズル列におけるワイプ部材の拭き取り性が低下する原因は、噴射面上に乗り上げた際にワイプ部材に生じたバタツキや撓み等によってワイプ部材と噴射面との密着性が低下しているためであるとの知見を得た。そして、この知見に基づいて以下の構成を有する本発明を見出した。
【０００６】
本発明の流体噴射装置のクリーニング方法は、複数のノズルから流体を噴射する噴射ヘッドを備える流体噴射装置のクリーニング方法において、前記複数のノズルが形成されたノズル形成領域を含む噴射面上をワイプ部材が摺動するワイピング工程を有し、該ワイピング工程は、前記ワイプ部材が前記噴射面に接触してから前記ノズル形成領域を摺動するワイピング処理を開始するまでに、当該ワイプ部材の状態を安定化させる安定化ステップを含むことを特徴とする。
【０００７】
本発明の流体噴射装置のクリーニング方法によれば、安定化ステップを備えることでワイピング処理時にワイプ部材の状態を安定化させることが可能となる。すなわち、安定化ステップは、例えば噴射面上に乗り上げた際にワイプ部材に生じるバタツキや撓み等を解消することができる。よって、ワイプ部材は払拭面に対して良好に密着し、噴射面上に流体の拭き残しが生じるのを防止できる。したがって、噴射ヘッドにおける流体噴射特性を長期に亘って維持することができ、流体噴射装置自体の信頼性を向上させることができる。
【０００８】
また、上記流体噴射装置のクリーニング方法においては、前記安定化ステップは、前記噴射面に対する前記ワイプ部材の摺動動作が停止されるステップを含むのが好ましい。
この構成によれば、移動及び停止を繰り返すことでワイプ部材の状態を良好に安定させることができる。
【０００９】
また、上記流体噴射装置のクリーニング方法においては、前記安定化ステップに先立ち、前記ワイプ部材と前記噴射ヘッドとを前記ワイピング処理時の１／１０以下の速度で接近させる接近動作を行い、前記ワイプ部材及び前記噴射ヘッドが非接触の状態で前記接近動作を終了させるのが好ましい。
このようにワイプ部材をゆっくりした速度で噴射ヘッドに接近させ、非接触の状態で停止させるため、ワイプ部材が噴射面上にゆっくり乗り上げるようになる。よって、噴射面上に乗りあがった際にワイプ部材に生じるバタツキや撓み等が緩和される。したがって、ワイプ部材の状態を容易に安定させることが可能となり、安定化ステップを短時間で行うことができる。
【００１０】
また、上記流体噴射装置のクリーニング方法においては、前記ワイプ部材として、長さ、材質、及び厚さの少なくともいずれかが前記噴射面に応じて設定されたものを用いるのが好ましい。
このように長さ、材質、及び厚さの少なくともいずれかを噴射面に応じて設定されたワイプ部材は、払拭面に対して追従性の高いものとなる。よって、ワイピング処理時のワイパ荷重が低下し、ワイプ部材自体の耐久性を向上させることができる。
【００１１】
また、上記流体噴射装置のクリーニング方法においては、前記ワイプ部材として、少なくとも表面が前記流体に対して親水性とされるものを用いるのが好ましい。
この構成によれば、ワイプ部材の表面が流体に対して親水性とされるため、ワイプ部材が流体中の水分を引き寄せるため、ワイピング処理時に尾引きや拭き残しを低減することができる。
【００１２】
また、上記流体噴射装置のクリーニング方法においては、前記噴射面に対する前記ワイプ部材の摺動動作を停止させることなく、前記安定化ステップに続けて前記ワイピング処理を行うのが好ましい。
この構成によれば、ワイプ部材の摺動動作を停止させることなく、安定化ステップからワイピング処理へとスムーズに移行することができる。
【００１３】
本発明の流体噴射装置は、複数のノズルから流体を噴射する噴射ヘッドと、該噴射ヘッドにおける前記複数のノズルが形成されたノズル形成領域を含む噴射面上に摺動されるワイプ部材を含むワイピング装置と、前記ワイプ部材が前記噴射面に接触してから前記ノズル形成領域を摺動するワイピング処理を開始するまでに、当該ワイプ部材の状態を安定化させるように前記噴射ヘッド及び前記ワイピング装置の少なくともいずれかを制御する制御装置と、を備えることを特徴とする。
【００１４】
本発明の流体噴射装置によれば、ワイプ部材安定手段を備えることでワイピング処理時にワイプ部材の状態を安定化させることが可能となる。すなわち、ワイプ部材安定手段は、例えば噴射面上に乗り上げた際にワイプ部材に生じるバタツキや撓み等を解消することができる。よって、ワイプ部材は払拭面に対して良好に密着し、噴射面上に流体の拭き残しが生じるのを防止できる。したがって、噴射ヘッドにおける流体噴射特性を長期に亘って維持可能な、信頼性の高いものを提供できる。
【００１５】
また、上記流体噴射装置においては、前記ワイプ部材は、前記噴射面に応じて、長さ、材質、及び厚さの少なくともいずれかが設定されているのが好ましい。
このように長さ、材質、及び厚さの少なくともいずれかを噴射面に応じて設定されたワイプ部材は、払拭面に対して追従性の高いものとなる。よって、ワイピング処理時のワイパ荷重が低下し、ワイプ部材自体の耐久性を向上させることができる。
【００１６】
また、上記流体噴射装置においては、前記ワイプ部材は、少なくとも表面が前記流体に対して親水性とされるのが好ましい。
この構成によれば、ワイプ部材の表面が流体に対して親水性とされるため、ワイプ部材が流体中の水分を引き寄せるため、ワイピング処理時に尾引きや拭き残しを低減することができる。
【発明を実施するための最良の形態】
【００１７】
以下、本発明の実施形態について図面を参照して説明する。なお、以下の説明に用いる各図面では、各部材を認識可能な大きさとするため、各部材の縮尺を適宜変更している。
以下、図面を参照して、本発明の流体噴射装置に係る形態を説明する。本実施形態では、本発明に係る流体噴射装置として、インクジェット式プリンタ（以下、プリンタと称す）を例示する。
【００１８】
図１は、本実施形態に係るプリンタの構成を概略的に示す斜視図である。
同図に示すように、プリンタ１は、流体噴射ヘッドの一種である記録ヘッド（流体噴射ヘッド）２を搭載すると共に液体貯留部材の一種であるインクカートリッジ３を着脱可能に装着するキャリッジ４と、記録ヘッド２の下方に配設され記録紙６が搬送されるプラテン５と、キャリッジ４を記録紙６の紙幅方向に移動させるキャリッジ移動機構７と、記録紙６を紙送り方向に搬送する紙送り機構８とを有する構成となっている。上記紙幅方向とは、主走査方向（ヘッド走査方向；同図中Ｘ方向）である。上記紙送り方向とは、副走査方向（主走査方向に直交する方向；同図中Ｙ方向）である。
【００１９】
本実施形態においては、インクカートリッジ３から、例えば、ホワイトＷ、マゼンタＭ、イエローＹ、シアンＣの各インクが記録ヘッド２に供給されるようになっている。
【００２０】
なお、インクカートリッジ３としては、本実施形態のようにキャリッジ４に装着するものには限らず、プリンタ１の筐体側に装着してインク供給チューブを介して記録ヘッド２に供給するタイプのものを採用してもよい。
【００２１】
ガイドロッド９は、主走査方向に架設された支持部材である。キャリッジ４は、このガイドロッド９に支持された状態で取り付けられている。このキャリッジ４は、キャリッジ移動機構７によりガイドロッド９に沿って主走査方向に移動するようになっている。リニアエンコーダ１０は、キャリッジ４の主走査方向上の位置を検出する。この検出信号は、位置情報として制御部（図示せず）に送信されるようになっている。後述する制御装置５８は、このリニアエンコーダ１０からの位置情報に基づいて記録ヘッド２の走査位置を認識し、記録ヘッド２による記録動作（吐出動作）等を制御するようになっている（図３参照）。
【００２２】
記録ヘッド２の移動範囲のうちプラテン５の外側の領域には、記録ヘッド２の走査起点となるホームポジションが設定されている。このホームポジションには、キャッピング機構１１が設けられている。キャッピング機構１１は、キャップ部材１１ａによって記録ヘッド２のノズル開口形成面を封止し、インク溶媒の蒸発を防止する。このキャッピング機構１１は、封止状態のノズル開口面に負圧を与えてインクを強制的に吸引排出するクリーニング動作等にも用いられる。
【００２３】
また、ホームポジションには、記録ヘッド２のノズル面を払拭するワイピング装置１２が設けられている。このワイピング装置１２は、上述のクリーニング動作によって記録ヘッド２のノズル開口形成面に付着したインクをワイプ部材１２ａによって払拭する、所謂ワイピング動作を行うためのものである。
【００２４】
ところで、ワイプ部材１２ａは、長さ、材質、及び厚さの少なくともいずれかがノズル開口面２３に応じて設定されている。これにより、ワイプ部材１２ａは、後述するように記録ヘッド２の払拭面（ノズル開口面２３；図２参照）に対し、高い追従性（腰の柔らかい）を有したものとなっている。
【００２５】
具体的に本実施形態では、ワイプ部材１２ａは弾性材料から構成されている。そして、ワイプ部材１２ａは、ゴム硬度が４０〜５５°程度、払拭時の干渉量が１〜１．５ｍｍ程度となっている。
このようにワイプ部材１２ａの追従性を向上させることで、インクの尾引き及びメニスカスの破壊を防止した状態で良好にワイピング処理を行うことができ、且つワイパ荷重が低減することでワイプ部材１２ａ自体の耐久性を向上させることができる。
【００２６】
また、本実施形態に係るワイプ部材１２ａは、親水性材料から構成されている。具体的なワイプ部材１２ａの材質としては、ウレタン系、ナイロン系、ＥＶＯＨ系、ＥＶＡ系の材料を用いるのが好ましい。また、ワイプ部材１２ａは、少なくとも表面がインクに対して親水性とされるものであればよい。例えば、ワイプ部材１２ａを、親水性処理を施した親水性シリコーンや親水性ポリオレフィンから構成するようにしてもよい。
これによりワイプ部材１２ａがインク中の水分を引き寄せるため、インクの尾引きや拭き残しを低減することが可能とされる。
【００２７】
図２は、記録ヘッド２の断面図である。
図２に示すように、記録ヘッド２は、ヘッド本体４８と、振動板１９、流路基板２０、及びノズル基板２１を含む流路形成ユニット４２とを備えている。ノズル２４は、ノズル基板２１に形成されている。
【００２８】
流路形成ユニット４２は、振動板１９、流路基板２０、及びノズル基板２１を積層し、接着剤等で接合して一体にしたものである。また、本実施形態に係る記録ヘッド２は、プリンタ１が対象とする最大サイズの印刷紙の幅員（最大記録紙幅）以上の長さに亘ってノズル２４が多数配列された、所謂ラインヘッドとして使用しても良い。
【００２９】
記録ヘッド２は、ヘッド本体４８の内部に形成された収容空間６３と、収容空間６３に配置された駆動ユニット４４とを備えている。駆動ユニット４４は、複数の圧電素子６５と、圧電素子６５の上端を支持する固定部材２６と、駆動信号を圧電素子６５に供給する柔軟なケーブル２７とを備えている。圧電素子６５は、複数のノズル２４のそれぞれに対応するように設けられている。
【００３０】
また、記録ヘッド２は、ヘッド本体４８の内部に形成され、インクカートリッジからインク供給チューブを介して供給されたインクが流れる内部流路６８と、振動板１９、流路基板２０、及びノズル基板２１を含む流路形成ユニット４２によって形成され、内部流路６８と接続された共通インク室２９と、流路形成ユニット４２によって形成され、共通インク室２９と接続されたインク供給口４０と、流路形成ユニット４２によって形成され、インク供給口４０と接続された圧力室３１とを備えている。圧力室３１は、複数のノズル２４に対応するように複数設けられている。複数のノズル２４のそれぞれは、複数の圧力室３１のそれぞれに接続されている。
【００３１】
ヘッド本体４８は、合成樹脂で形成されている。振動板１９は、例えばステンレス鋼等の金属製の支持板上に弾性フィルムをラミネート加工したものである。振動板１９の圧力室３１に対応する部分には、圧電素子６５の下端と接合される島部３２が形成されている。振動板１９の少なくとも一部は、圧電素子６５の駆動に応じて弾性変形する。振動板１９と内部流路６８の下端近傍との間にはコンプライアンス部４３が形成されている。
流路基板２０は、内部流路６８の下端とノズル２４とを接続する共通インク室２９、インク供給口４０、及び圧力室３１それぞれの空間を形成するための凹部を有する。本実施形態においては、流路基板２０は、シリコンを異方性エッチングすることで形成されている。
【００３２】
ノズル基板２１は、所定方向に所定間隔（ピッチ）で形成された複数のノズル２４を有する。本実施形態のノズル基板２１は、例えばステンレス鋼等の金属で形成された板状の部材である。ノズル基板２１の下面は、後述するように複数のノズル２４によって形成されるノズル開口面（噴射面）２３を構成している。
【００３３】
このように構成されたプリンタ１は、インクを貯留するインク貯留部（流体貯留部）として、不図示のインクカートリッジを有し、このインクカートリッジからインク供給チューブを介して供給されたインクが図２に示した内部流路６８の上端に流入するように構成されている。内部流路６８の下端は、共通インク室２９に接続されており、インクカートリッジからインク供給チューブ（不図示）を介して内部流路６８の上端に流入したインクは、内部流路６８を流れた後、共通インク室２９に供給される。共通インク室２９に供給されたインクは、インク供給口４０を介して、複数の圧力室３１のそれぞれに分配されるように供給される。
【００３４】
ケーブル２７を介して圧電素子６５に駆動信号が入力されると、圧電素子６５が伸縮する。これにより、振動板１９が圧力室３１に接近する方向及び離れる方向に変形（移動）する。これにより、圧力室３１の容積が変化し、インクを収容した圧力室３１の圧力が変動する。この圧力の変動によって、ノズル２４から、インクが噴射（吐出）される。
このように、本実施形態の圧電素子６５は、ノズル２４よりインクを噴射するために、入力される駆動信号に基づいて、ノズル２４に接続された圧力室３１の圧力を変動させる。
【００３５】
図３は記録ヘッド２をノズル開口面２３側から視た図であり、ノズル開口面２３における拡大図である。図３に示されるように記録ヘッド２は、平面視略矩形形状から構成されている。また、ノズル開口面２３の下面はノズル開口面２３を構成しており、ノズル開口面２３は複数のノズル列が形成されたノズル形成領域Ｋを含んでいる。ここで、ノズル形成領域Ｋは、ノズル開口面２３に形成されたすべてのノズル２４のうち、最外周に配置されたノズル２４の外端を結んだ領域によって規定されるものである。
【００３６】
ここで、ワイピング処理においてワイプ部材１２ａの払拭方向最上流側（拭き始め側）に位置するノズル列をＬ１とし、以下、払拭方向下流側に向かって配置されるノズル列を順にＬ２、Ｌ３、Ｌ４とする。なお、各ノズル列Ｌ１〜Ｌ４はそれぞれ複数のノズル２４によって構成されている。また、同一のノズル列を構成するノズル２４からは、同色のインクが噴射されるようになっている。
【００３７】
図４はプリンタ１の電気的な構成を示すブロック図である。本実施形態におけるプリンタ１は、プリンタ１全体の動作を制御する制御装置５８を備えている。この制御装置５８には、プリンタ１の動作に関する各種情報を入力する入力装置５９と、プリンタ１の動作に関する各種情報を記憶した記憶装置６０と、時間の計測を実行可能な計測装置６１とが接続されている。
【００３８】
また、制御装置５８には、上記キャリッジ移動機構７、紙送り機構８、キャッピング機構１１、ワイピング装置１２等が接続されている。プリンタ１は、圧電振動子３８に入力する駆動信号を発生する駆動信号発生器６２を備えている。そして、駆動信号発生器６２は制御装置５８に接続されている。
【００３９】
ところで、従来のワイピング処理においては、ワイプ部材の払拭方向最上流（拭き始め側）におけるノズル列の拭き取り性が悪く、インクの拭き残しが生じる可能性があった。本発明者は、このようなインクの拭き残しが生じる原因として、ワイプ部材がノズル基板（噴射面）に乗り挙げる際のバタツキ或いは撓みに起因するという知見を得た。
すなわち、ワイプ部材はノズル基板（噴射面）上に乗り上げた際、段差に追従することができずに変形してしまい、これによってノズル開口面とワイプ部材との間に隙間を生じさせる。よって、ノズル開口面上にはインクが帯状に拭き残ってしまう。
【００４０】
このような問題を解消すべく、本実施形態に係るプリンタ１は、制御装置５８が、ノズル開口面２３に接触した後、ワイピング処理を開始するまでに、ワイプ部材１２ａの状態を安定化させるように記録ヘッド２及びワイピング装置１２の少なくともいずれかの動作を制御するようにしている。具体的に本実施形態では、制御装置５８は、キャリッジ移動機構７の駆動を制御することで、キャリッジ４に搭載された記録ヘッド２のノズル開口面２３に対するワイプ部材１２ａの移動速度（相対移動速度）を調整可能としている。
【００４１】
すなわち、プリンタ１は、ワイピング処理を開始するに先立ち、ワイプ部材１２ａの状態を安定化させる安定化ステップを行っている。このような安定化ステップによりワイプ部材１２ａは、上述のようなバタツキ或いは撓みが解消されたものとなり、ノズル開口面２３上の全てのノズル列Ｌ１〜Ｌ４において拭き残しを生じることなく、良好なワイピング処理を行うことができるようになっている。
【００４２】
以下、プリンタ１の動作として、記録ヘッド２のクリーニング方法として、特にワイピング装置１２を用いたワイピング工程についてフローチャートを参照にしつつ説明する。
図５はワイピング工程に係るフローを示す図であり、図６はワイピング工程に係るワイプ部材１２ａ及びキャリッジ４の位置関係を示す図である。
【００４３】
プリンタ１は、記録ヘッド２におけるインクの目詰まりが生じると上記キャッピング機構１１を用いた吸引動作を行う。これにより各ノズル２４からインクを強制的に排出させる。このような吸引動作を行うと、ノズル開口面２３にインクが付着する。
プリンタ１は、このようなノズル開口面２３に付着したインクを除去するため、上記ワイピング装置１２によるワイピング工程を行う。
【００４４】
まず、制御装置５８はワイピング装置１２をスタンバイさせる。具体的には、記録ヘッド２からキャッピング機構１１を離間（下方に移動させ）させ、ワイピング装置１２を上昇させ、ワイピング工程へと進む。ここで、ワイピング工程とは、ノズル開口面２３上をワイプ部材１２ａが摺動する一連の動作を含んでいる。
【００４５】
ところで、本実施形態に係るプリンタ１は、ワイピング工程において、３段階（微速モード、中速モード、高速モード）の移動速度でキャリッジ４を移動させるようになっている。プリンタ１は、ワイピング処理時（ワイプ部材１２ａがノズル形成領域Ｋ上を摺動する時）においてキャリッジ４を上記高速モードで移動させる。すなわち、ワイピング処理時において、ワイプ部材１２ａはノズル開口面２３上を高速モードに係る速度に基づいて移動する。
【００４６】
本実施形態では、高速モードにおけるキャリッジ４の移動速度を８０ｃｐｓ（characters per second；キャラクター／秒）、中速モードにおけるキャリッジ４の移動速度を４０ｃｐｓ、微速モードにおけるキャリッジ４の移動速度を５ｃｐｓとした。
【００４７】
微速モードにおけるキャリッジ４の移動速度は、ワイピング処理時におけるワイプ部材１２ａのノズル開口面２３上を移動する速度の１／１０以下とするのが好ましい。換言すれば、高速モードにおけるキャリッジ４の移動速度は、微速モードにおけるキャリッジ４の移動速度の１０倍以上とするのが好ましく、本実施形態では１６倍に設定した。
【００４８】
制御装置５８は、図６（ａ）に示されるように、ワイピング工程を開始するに際し、キャリッジ４を微速モードで移動させ、ワイプ部材１２ａが記録ヘッド２の側面部の直前（第１の位置Ａ１）となる位置でキャリッジ４を停止させる（図５中、ステップＳ１、２）。このとき、ワイプ部材１２ａは記録ヘッド２と非接触状態となっている。
【００４９】
そして、制御装置５８は、キャリッジ４を第１の位置Ａ１にて０．５秒間停止させる。なお、ワイプ部材１２ａの摺動動作を停止させる時間は、ワイプ部材１２ａにおけるノズル開口面２３に対する追従性に応じて適宜変更される。
【００５０】
このようにワイプ部材１２ａをゆっくりした速度で記録ヘッド２に接近させ、非接触の状態で停止させることにより、後述のようにワイプ部材１２ａをノズル開口面２３上にゆっくり乗り上がらせることが可能となる。よって、ワイプ部材１２ａがノズル開口面２３上に乗りあがった際にバタツキや撓み等が生じるのを緩和することができる。
【００５１】
続いて、キャリッジ４をワイプ部材１２ａ側に微速モードで移動させる（ステップＳ３）。キャリッジ４の移動に伴って、ワイプ部材１２ａは記録ヘッド２の側面に接触し、屈曲した状態となり、やがてワイプ部材１２ａがノズル開口面２３上に乗り上げる。
【００５２】
ところで、ワイプ部材１２ａがノズル開口面２３に乗り上げた場合、上述のようにワイプ部材１２ａが段差に追従できずに変形することでバタツキや撓みが生じ、ノズル開口面２３とワイプ部材１２ａとの間に隙間が生じる。これにより、ワイプ部材１２ａによる払拭性が低下し、ノズル開口面２３に帯状にインクの拭き残しが生じる虞がある。
【００５３】
このような不具合を解消すべく、本実施形態に係るプリンタ１は、ワイピング工程において、ワイプ部材１２ａがノズル開口面２３に接触してからワイピング処理を開始するまでに、ワイプ部材１２ａの状態を安定化させる安定化ステップを実行している。
【００５４】
具体的に本実施形態では、図６（ｂ）に示すように、ワイプ部材１２ａがノズル開口面２３に乗り上げた際、キャリッジ４の移動を停止させる（図５中、ステップＳ４）。なお、ワイプ部材１２ａは、図６（ａ）に示される状態から図６（ｂ）に示される状態に移行する間にノズル開口面２３上に乗り上げる。
【００５５】
制御装置５８は、キャリッジ４をノズル開口面２３の端部（第２の位置Ａ２）にて０．５秒間停止させる（ステップＳ５）。このように本実施形態における安定化ステップでは、ワイプ部材１２ａがノズル開口面２３上を移動する動作を停止させるステップを含んでいる。
【００５６】
なお、ワイプ部材１２ａの摺動動作を停止させる時間は、ワイプ部材１２ａにおけるノズル開口面２３に対する追従性に応じて適宜変更される。例えば、ワイプ部材１２ａにおけるノズル開口面２３に対する追従性が低く、バタツキや撓みを解消し難い場合には、上述の停止時間を０．５秒よりも長くし、一方、ワイプ部材１２ａにおけるノズル開口面２３に対する追従性が高く、バタツキや撓みを解消し易い場合には、上述の停止時間を０．５秒よりも短くすることができる。
【００５７】
続いて、制御装置５８は、図６（ｃ）に示すように、キャリッジ４（ワイプ部材１２ａ）をノズル開口面２３上におけるワイピング処理の開始位置（第３の位置Ａ３）まで微速モードで移動させる（図５中、ステップＳ６）。ここで、ワイピング処理の開始位置（第３の位置Ａ３）とは、ノズル形成領域Ｋのうち、ワイプ部材１２ａの払拭方向最上流側に位置するノズル列Ｌ１の近傍である。
【００５８】
すなわち、本実施形態に係る安定化ステップでは、ノズル開口面２３上に乗り上がったワイプ部材１２ａが第２の位置Ａ２で停止するとともに第３の位置Ａ３まで微速モードで移動する（図６（ｂ）、（ｃ）参照）。このような安定化ステップにより、ワイプ部材１２ａはノズル開口面２３上に乗り上げた際に生じたバタツキや撓みが解消されて、ノズル開口面２３に良好に密着する。
【００５９】
制御装置５８は、キャリッジ４を高速モードで移動させることで、ワイプ部材１２ａによって上記第３の位置Ａ３からノズル形成領域Ｋを一気に払拭するワイピング処理を実行する（図５中、ステップＳ７）。このとき、ワイプ部材１２ａは、上述の安定化ステップによってノズル開口面２３に良好に密着した状態とされることから、従来インクの拭き残しが生じ易かったワイプ部材１２ａの払拭方向最上流側のノズル列Ｌ１についてもインクを確実に払拭できる。
【００６０】
そして、ノズル形成領域Ｋの払拭後（すなわち、ワイピング処理の終了後）、ワイプ部材１２ａの移動速度を減速させるとともに記録ヘッド２の一端側（払拭方向下流側）に設けられたガイド部材１００上にて０．５秒間停止させる（図５中、ステップＳ８）。そして、キャリッジ４を微速モードで移動させる（図５中、ステップＳ９）。このように、本実施形態においては、ガイド部材１００を備えることで、図６（ｅ）に示すようにワイプ部材１２ａをガイド部材１００から徐々に離間させることができる。よって、ワイプ部材１２ａが記録ヘッド２から離間する際、ワイプ部材１２ａに付着しているインクが周囲に飛散するといった不具合を防止できる。以上のステップにより、ワイピング装置１２によるワイピング工程（ワイピング処理）が終了する。ワイピング工程（ワイピング処理）が終了した後、キャリッジ４は印字処理を行う印字処理ポジションに移動し、ワイピング装置１２は不図示の昇降機構により下降する。
【００６１】
以上述べたように、本実施形態に係るプリンタ１によれば、ノズル開口面２３にインクの拭き残しを生じさせないワイピング処理を行うことができるので、記録ヘッド２は信頼性の高いインク噴射特性を長期に亘って保持することができ、プリンタ１自体における信頼性を向上させることができる。
【００６２】
以上、添付図面を参照しながら本発明に係る好適な実施形態について説明したが、本発明は係る例に限定されないことは言うまでもなく、上記各実施形態を組み合わせても良い。当業者であれば、特許請求の範囲に記載された技術的思想の範疇内において、各種の変更例または修正例に想到し得ることは明らかであり、それらについても当然に本発明の技術的範囲に属するものと了解される。
【００６３】
例えば、上記実施形態では、安定化ステップとしてノズル開口面２３にワイプ部材１２ａが乗り上がった直後に、ワイプ部材１２ａの摺動動作（キャリッジ４の移動）を停止させるようにしたが、本発明はこれに限定されない。安定化ステップは、ワイピング処理を開始するまでにワイプ部材１２ａの状態を安定させることが可能であれば、例えばノズル列Ｌ１の直前でワイプ部材１２ａの摺動動作を停止させるといったように種々のタイミングで摺動動作を停止させることができる。
あるいは、ワイピング処理を開始するまでにワイプ部材１２ａの状態を安定させることができれば、ワイプ部材１２ａの摺動動作を停止させることなく、安定化ステップを行うことも可能である。
【００６４】
また、上記実施例は、インクジェット式のプリンタが採用されているが、インク以外の他の流体を噴射したり吐出したりする流体噴射装置と、その流体を収容した流体容器を採用しても良い。微小量の液滴を吐出させる流体噴射ヘッド等を備える各種の流体噴射装置に流用可能である。なお、液滴とは、上記流体噴射装置から吐出される流体の状態をいい、粒状、涙状、糸状に尾を引くものも含むものとする。また、ここでいう流体とは、流体噴射装置が噴射させることができるような材料であれ良い。例えば、物質が液相であるときの状態のものであれば良く、粘性の高い又は低い液状態、ゾル、ゲル水、その他の無機溶剤、有機溶剤、溶液、液状樹脂、液状金属（金属融液）のような流状態、また物質の一状態としての流体のみならず、顔料や金属粒子などの固形物からなる機能材料の粒子が溶媒に溶解、分散または混合されたものなどを含む。また、流体の代表的な例としては上記実施例の形態で説明したようなインクや液晶等が挙げられる。ここで、インクとは一般的な水性インクおよび油性インク並びにジェルインク、ホットメルトインク等の各種流体組成物を包含するものとする。流体噴射装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散または溶解のかたちで含む流体を噴射する流体噴射装置、バイオチップ製造に用いられる生体有機物を噴射する流体噴射装置、精密ピペットとして用いられ試料となる流体を噴射する流体噴射装置、捺染装置やマイクロディスペンサ等であってもよい。さらに、時計やカメラ等の精密機械にピンポイントで潤滑油を噴射する流体噴射装置、光通信素子等に用いられる微小半球レンズ（光学レンズ）などを形成するために紫外線硬化樹脂等の透明樹脂液を基板上に噴射する流体噴射装置、基板などをエッチングするために酸又はアルカリ等のエッチング液を噴射する流体噴射装置を採用しても良い。そして、これらのうちいずれか一種の噴射装置および流体容器に本発明を適用することができる。
【図面の簡単な説明】
【００６５】
【図１】プリンタの構成を概略的に示す斜視図である。
【図２】記録ヘッドの断面図である。
【図３】記録ヘッドをノズル開口面側から視た図である。
【図４】プリンタの電気的な構成を示すブロック図である。
【図５】ワイピング処理に係るフローを示す図である。
【図６】ワイピング処理でのワイプ部材及びキャリッジの位置関係を示す図である。
【符号の説明】
【００６６】
１…プリンタ（流体噴射装置）、２…記録ヘッド（噴射ヘッド）、１２ａ…ワイプ部材、１２…ワイピング装置、２３…ノズル開口面（噴射面）、２４…ノズル、Ｋ…ノズル形成領域
【図１】
2010052381.tif 000003
【図２】
2010052381.tif 000004
【図３】
2010052381.tif 000005
【図４】
2010052381.tif 000006
【図５】
2010052381.tif 000007
【図６】
2010052381.tif 000008